(57)【要約】【課題】開閉部材の開放角規定に用いる部材の占有スペースによる開閉部材の機能低下を防止できると共に、開放角規定に用いる部材の取り付け作業を簡単化できる構成の開閉部材を備えた画像形成装置を提供する。【解決手段】装置本体２の筐体１０に対して起倒可能に設けられた開閉部材４を備え、該開閉部材４を倒して装置内部の一部を外部に露呈できる構成を備えた画像形成装置１において、延長方向一端が上記筐体２０側に固定され、延長方向他端が、上記開閉部材４側に設けられている迂回部８に掛け回されたうえで開閉部材４側に係止されるバンド部材７を備え、上記バンド部材７は、通常状態が直線状をなし、屈曲された際に直線状に復帰するための形状復元力を蓄えることができる材質が用いられ、上記迂回部８に掛け回されて折り返された状態で上記端部近傍に設けられている係止部７Ａが上記開閉部材４に設けられている係合部９に嵌合されて係止されることを特徴とする。【選択図】図３
2010085432.tif 000002
【特許請求の範囲】
【請求項１】
装置本体の筐体に対して起倒可能に設けられた開閉部材を備え、該開閉部材を倒して装置内部の一部を外部に露呈できる構成を備えた画像形成装置において、
延長方向一端が上記筐体側に固定され、延長方向他端が、上記開閉部材側に設けられている迂回部に掛け回されたうえで開閉部材側に係止されるバンド部材を備え、
上記バンド部材は、通常状態が直線状をなし、屈曲された際に直線状に復帰するための形状復元力を蓄えることができる材質が用いられ、上記迂回部に掛け回されて折り返された状態で上記端部近傍に設けられている係止部が上記開閉部材に設けられている係合部に嵌合されて係止されることを特徴とする画像形成装置。
【請求項２】
上記バンド部材は、上記迂回部に掛け回されて折り返された際に上記直線状への形状復元力により上記開閉部材の内面に上記折り返された領域が上記端部を含めて接触可能であることを特徴とする請求項１に記載の画像形成装置。
【請求項３】
上記バンド部材は、上記開閉部材の起立位置に相当する上記筐体を閉じる位置から倒れ位置に相当する上記筐体を開放する位置に至る過程で、上記一端から上記迂回位置までの領域が上記筐体における開閉部材の起倒支点位置側に向けて凸状に湾曲した状態を呈することを特徴とする請求項１に記載の画像形成装置。
【請求項４】
上記開閉部材に設けられている係合部は、上記バンド部材が迂回部にて折り返された後、該バンド部材の進行方向に沿って順次高さを高くする傾斜面を有した突起で構成されていることを特徴とする請求項１に記載の画像形成装置。
【請求項５】
上記開閉部材には、上記係合部の近傍で上記バンド部材の進行方向と直角な方向に相当する幅方向端部に対向して、該バンド部材の幅方向端部をガイドするバンドガイド部材が設けられていることを特徴とする請求項４に記載の画像形成装置。
【請求項６】
上記バンド部材における上記開閉部材側に位置する端部は、該開閉部材内面から浮き上がる方向にカールが形成されていることを特徴とする請求項１乃至５のいずれかに記載の画像形成装置。
【請求項７】
上記バンド部材は、上記突起部に対向する位置が山折りされ、該山折りされた部分が上記突起部を覆う状態で位置することを特徴とする請求項１乃至６のいずれかに記載の画像形成装置。
【請求項８】
上記バンド部材における上記装置本体側の筐体に取り付けられる端部は、板バネにより押圧された状態で該装置本体の筐体部に取り付けられることを特徴とする請求項１乃至５のいずれかに記載の画像形成装置。
【発明の詳細な説明】
【技術分野】
【０００１】
本発明は、画像形成装置に関し、さらに詳しくは、装置本体部を構成する筐体部に設けられている開閉部材の開放角規定構造に関する。
【背景技術】
【０００２】
複写機やプリンタあるいはファクシミリ装置や印刷機などの画像形成装置においては、画像形成に係る装置を内蔵した装置本体が筐体構造とされている。  
内蔵されている装置のうちで交換や保守対象となる装置が位置する筐体の側部には、その部分を外部に露呈できるように開閉カバーなどの開閉部材が設けられている。
【０００３】
開閉部材の開閉機構として用いられる構成としては、開閉部材の上下方向下端を支点として開放する際には外側に向けて開閉部材を倒すようにした起倒可能な構成が提案されている（例えば、特許文献１）。
【０００４】
上記特許文献１においては、開閉部材と装置本体の筐体部とを連結するアーム部材を設け、その一部を開閉部材に対して回動可能に連結すると共にそのアーム部材の他の一方を装置本体側に回動可能に連結した構成が開示されている。
【０００５】
ところで、開閉部材を開放した際には、その開放角を規定して解放された海平部材の下方に位置する部材との衝突を避けることが必要となる。
【０００６】
上記特許文献１においては、開閉部材とその下方に位置する部材との衝突を避けるための構成として、開閉部材の内側と装置本体側とにそれぞれ展張方向端部が固定されたストラップが用いられている。
【０００７】
【特許文献１】特開２００２−１１１２４２
【発明の開示】
【発明が解決しようとする課題】
【０００８】
上記特許文献１に開示されているストラップは、開閉部材および装置本体側に向けて直線状に展張された端部を固定する構成であるので、ストラップが占有する空間、つまり、展張部分が占める空間スペースが大きくなる。このため、開閉部材の内面において装置本体内に装備されている装置や部材の押さえなどの機能を持たせた部分が設けられていると、ストラップの固定位置を含め、占有部分が邪魔になる場合がある。
【０００９】
しかも、ストラップの固定にはネジ止めが用いられていることから、開閉部材が開放されている状態で締結が必要となる。しかし、開閉部材が開放された状態では、開閉部材の内面と装置本体との締結面は直角な関係であるので、締結方向が一様ではなく、固定作業が面倒となる虞もある。
【００１０】
本発明の目的は、上記従来の画像形成装置、特に開閉部材における開放角を規定する部材における問題に鑑み、開閉部材の開放角規定に用いる部材の占有スペースによる開閉部材の機能低下を防止できると共に、開放角規定に用いる部材の取り付け作業を簡単化できる構成の開閉部材を備えた画像形成装置を提供することにある。
【課題を解決するための手段】
【００１１】
この目的を達成するため、本発明は次の構成よりなる。
（１）装置本体の筐体に対して起倒可能に設けられた開閉部材を備え、該開閉部材を倒して装置内部の一部を外部に露呈できる構成を備えた画像形成装置において、
延長方向一端が上記筐体側に固定され、延長方向他端が、上記開閉部材側に設けられている迂回部に掛け回されたうえで開閉部材側に係止されるバンド部材を備え、
上記バンド部材は、通常状態が直線状をなし、屈曲された際に直線状に復帰するための形状復元力を蓄えることができる材質が用いられ、上記迂回部に掛け回されて折り返された状態で上記端部近傍に設けられている係止部が上記開閉部材に設けられている係合部に嵌合されて係止されることを特徴とする画像形成装置。
（２）上記バンド部材は、上記迂回部に掛け回されて折り返された際に上記直線状への形状復元力により上記開閉部材の内面に上記折り返された領域が上記端部を含めて接触可能であることを特徴とする請求項１に記載の画像形成装置。
（３）上記バンド部材は、上記開閉部材の起立位置に相当する上記筐体を閉じる位置から倒れ位置に相当する上記筐体を開放する位置に至る過程で、上記一端から上記迂回位置までの領域が上記筐体における開閉部材の起倒支点位置側に向けて凸状に湾曲した状態を呈することを特徴とする請求項１に記載の画像形成装置。
（４）上記開閉部材に設けられている係合部は、上記バンド部材が迂回部にて折り返された後、該バンド部材の進行方向に沿って順次高さを高くする傾斜面を有した突起で構成されていることを特徴とする請求項１に記載の画像形成装置。
（５）上記開閉部材には、上記係合部の近傍で上記バンド部材の進行方向と直角な方向に相当する幅方向端部に対向して、該バンド部材の幅方向端部をガイドするバンドガイド部材が設けられていることを特徴とする請求項４に記載の画像形成装置。
（６）上記バンド部材における上記開閉部材側に位置する端部は、該開閉部材内面から浮き上がる方向にカールが形成されていることを特徴とする請求項１乃至５のいずれかに記載の画像形成装置。
（７）上記バンド部材は、上記突起部に対向する位置が山折りされ、該山折りされた部分が上記突起部を覆う状態で位置することを特徴とする請求項１乃至６のいずれかに記載の画像形成装置。
（８）上記バンド部材における上記装置本体側の筐体に取り付けられる端部は、板バネにより押圧された状態で該装置本体の筐体部に取り付けられることを特徴とする請求項１乃至５のいずれかに記載の画像形成装置。
【発明の効果】
【００１２】
本発明によれば、装置本体の筐体部と開閉部材とにそれぞれ取り付けられるバンド部材が、開閉部材側に設けられている迂回部に掛け回されて折り返されたうえで開閉部材側に延長方向の端部が取り付けられるので、バンド部材が折り返されたことによる占有スペースの共有によってバンド部材が開閉部材側で占有するスペースを小さくすることができる。
【００１３】
しかも、バンド部材の取り付けに際しては、開閉部材側に位置する延長方向の他端部が迂回部で折り返されたうえで係止部を開閉部材の係合部に係合させるだけで済ませることができる。これにより、開閉部材側での締結作業などを不要にして取り付け方向が異なる場合であってもベルト部材を移動させるだけで済むことから取り付け作業を容易化することができる。
【００１４】
さらにバンド部材の係止部を係合させる開閉部材側の係合部は、バンド部材の折り返された部分に位置しているので、折り返される前のバンド部材が係合部の上方に位置することでユーザの手が触れないようにして安全性を高めることができる。
【発明を実施するための最良の形態】
【００１５】
以下、図面により本発明を実施するための最良の形態について説明する。  
図１は、本発明による画像形成装置の外観図を示している。  
図１において画像形成装置１は、画像形成処理に係る装置や部材を収納している装置本体２と、装置本体２の上方に配置されている原稿走査部３とを備えている。
【００１６】
装置本体２には、図示しないが、複数の色画像を形成可能なプロセスカートリッジ、各プロセスカートリッジに装備されている感光体などの潜像担持体に形成された画像を１次転写される中間転写ベルトを備えた中間転写ユニット、さらには各プロセスカートリッジの潜像担持体に対する画像書き込みを行う書き込み装置そして、給紙装置が収納されている。
【００１７】
装置本体２の上面には排紙トレイ２Ａが設けられ、排紙トレイ２Ａの上方には装置本体に一体化されている原稿走査部３として用いられるスキャナが設けられている。なお、図１においてスキャナの構成部材は図示を省略している。
【００１８】
装置本体２の側面の一つは起倒可能な開閉部材である開閉カバー４によって覆われており、さらに、装置本体２の他の側面である背面には、排紙トレイ２Ａに向けて記録紙を搬送ガイドする排紙ガイド部２Ｂおよび手差し給紙部５が設けられている。なお、図１において符号６は、開閉カバー４と同じ面に設けられて水平方向に進退可能な給紙カセットを示している。
【００１９】
開閉カバー４は、図２に示すように、装置本体２を構成する筐体２０の下部に設けられている支点部２１に支持されることにより、筐体２０に対して揺動することで起倒可能に設けられている部材であり、起立状態にあるときには、図１に示すように装置本体２の側面を閉じ、倒れた状態にあるときには、図２に示すように装置本体２の内部を外部に露呈できるように開放することができるようになっている。
【００２０】
開閉カバー４が倒されて装置本体２の側面を開放した場合には、図２において符号ＴＵで示す中間転写ユニットや現像装置への補給トナーを収容しているトナー補給タンクＳＴが外部に露呈し、交換や保守ができるようになっている。なお、図２において開閉カバー４の内面には、中間転写ユニットＴＵやその他の装置あるいは部品の押圧あるいはスイッチの作動を行う等の機能部（便宜上、符号４Ａ、４Ｂで示す）が設けられている。
【００２１】
図３は、開閉カバー４の支点部２１の構成を示す図である。  
同図において筐体２０の下部には、開閉カバー４の倒伏方向に張り出す一対のブラケット２２が設けられており、ブラケット２２に挿通された支軸２３には、開閉カバー４側に設けられている一対の支持ブラケット２４が嵌合されている。
【００２２】
開閉カバー４は、支軸２３を支点として、上述したように、装置本体２の側面を閉じる位置と開放する位置とに揺動できるようになっている。開閉カバー４の閉じ位置での保持は、図示しないが開閉カバー４の揺動端側に設けられているラッチ機構などが用いられる。
【００２３】
開閉カバー４には、倒されて装置本体の側面が開放された際に、開放角を規定するための部材としてバンド部材７が設けられている。  
バンド部材７は、開閉カバー４の開放角を規定することにより、開閉カバー４の下方に位置する給紙カセット６等の装置や部材に開閉カバー４が衝突するのを防ぐ目的で設けられている部材である。
【００２４】
バンド部材７は、通常状態が直線状をなし、屈曲された際に直線状への形状復元力を蓄勢することができる部材であり、本実施形態では、積水成型工業（株）製のＰＯ−Ｈ６−ＢＫ（商品名）などのポリプロピレンを用いたシートで構成されている。
【００２５】
バンド部材７は、延長方向の一端が装置本体２の筐体２０側に取り付けられ、延長方向の他端が開閉カバー４に設けられている迂回部８に掛け回されたうえで、開閉カバー４に設けられている係合部に係合することで係止されている。
【００２６】
迂回部８は、バンド部材７が掛け回される面８Ａの稜線、つまり、バンド部材７が折り返される面が丸みを帯びた形状とされており、掛け回されるバンド部材７に対して角部が接触する場合と違ってバンド部材７への応力集中を防止するようになっている。
【００２７】
開閉カバー４が閉じ位置にある時のバンド部材７は、迂回部８を通過する時計方向に倒れたＺ字状をなし、迂回部８を境にして延長方向一端に至る領域と延長方向他端に至る領域とが折り重なる状態とされている。この状態から開放位置に向けて揺動する過程においては、図４に示すように、延長方向一端から迂回部８に至る領域の途中が開閉カバー４の起倒支点位置、つまり支点部２１に向けて凸状に湾曲する。
【００２８】
本実施形態では、迂回部８を基準として、迂回部８から湾曲部７Ｄに至る長さＬ１と、迂回部８から延長方向他端に至る長さＬ２とが、Ｌ１＜Ｌ２となる関係を設定されている。つまり、迂回部８の位置は、上記長さＬ１，Ｌ２の関係が設定できる位置に位置決めされている。これにより、開閉カバー４が閉じ位置から開放位置に向け揺動する過程において、長さ領域Ｌ１に位置する湾曲部７Ｄが、図４に示すように、迂回部８を支点とした撓み変形を生じて長さ領域Ｌ２側に向かうことができる。撓み変形した際には、迂回部８からの揺動半径に相当する長さＬ１を利用して湾曲部７Ｄが長さ領域Ｌ２に位置するバンド部材８の浮き上がり、詳しくは、係合部の突起９から係止穴７Ａの部分が浮き上がるのを抑える機能を発揮するようになっている。
【００２９】
バンド部材７の延長方向端部の係止は、図３に示すように、その末端部近傍に形成されている係止部としての係止穴７Ａを、開閉カバー４側に設けられている係合部としての突起９に嵌合させることにより行われる。
【００３０】
図３において係合部である突起９は、迂回部８に掛け回されて折り返されたバンド部材７の延長方向端部が進行する方向（図３において矢印Ｆで示す方向）に沿って順次高くなっている傾斜面９Ａを有した構成であり、バンド部材７の延長方向端部が進行する際に傾斜面９Ａに乗り上げながら移動できるようになっている。
【００３１】
これにより、バンド部材７の係止部である係止穴７Ａを開閉カバー４側の係合部である突起９に嵌合させる際にバンド部材７を持ち上げることなく、その移動による乗り上げを利用するだけで必然的に係止穴７Ａが突起９に入り込めるようにガイドされるようになっている。
【００３２】
バンド部材７は、延長方向端部に設けられている係止穴７Ａが開閉カバー４側の係合部である突起９に嵌合することにより、延長方向一端から迂回部８に至る領域が突起９の上方に位置することになる。このため、突起９は、バンド部材７の延長方向一端から迂回部に至る領域によって上面が隠された状態となるので、開閉カバー４を開放した際には、外部から突起９が見えないようにすることができる。このように外部から突起９が見えないようにすることで、開閉カバー４の平坦部をなす内面の一部に凸部という奇異な部分があるのを隠すことができ、さらには、不用意に突起９にユーザ等の手が触れることがないようにできる。
【００３３】
突起９に嵌合する係止部７Ａを有したバンド部材７の延長方向他端の末端部には、開閉カバー４の内面に向けて浮き上がる方向のカール７Ｂが形成されており、このカール７Ｂを、折り返されたバンド部材７の進行方向先端に位置させることで突起９の傾斜面９Ａへの乗り上げに際しての摺擦抵抗を軽減できるようになっている。換言すれば、進行方向先端でのエッジ部がなくされることにより進行する際に生じる虞のある開閉カバー４内面への引っかかりが防止されることになる。
【００３４】
突起９の近傍で、迂回部８で折り返された後、バンド部材７が進行する位置には、その進行方向と直角な方向に相当するバンド部材７の幅方向端部に対向するバンドガイド部材１０が設けられている。  
バンドガイド部材１０は、突起９の高さよりも高い直立した板状部材で構成され、突起９の傾斜面９Ａを移動するバンド部材７の係止穴７Ａの位置がバンド部材７の幅方向でずれるのを防止して係止穴７Ａが容易に突起９に嵌合させられるようになっている。
【００３５】
一方、バンド部材７の延長方向一端を取り付けるための構成としては、筐体２０側に対して締結される板バネ１１によってバンド部材７の延長方向一端を挟み込む構成が採用されている。板バネ１１は、上面に設けられている折曲片１１Ａを筐体２０側に形成されている鉤穴２０Ａに入り込ませることにより締結の際の位置決めができるようになっている。
【００３６】
板バネ１１の締結位置は、折曲片１１Ａ側に設定されて板バネ１１を片持ち梁状に支持できるようになっている。これにより、開閉カバー４が開放されてバンド部材７に牽引力が作用した場合には、板バネ１１の締結位置に過度な荷重が作用するのを弾性変形により緩和できるようになっている。
【００３７】
一方、バンド部材７に形成されている係止穴７Ａは、図５に示す構成とされている。つまり、係止穴７Ａは、バンド部材７の移動方向に沿って前方側に突起９の形状寸法、詳しくは、バンド部材７の移動方向と直角な方向での外形寸法に整合する小径部７Ａ１が、そして、後方側に突起９の形状寸法よりも大きい内径を有する大径部７Ａ２とが連続している。  
これにより、バンド部材７を迂回部８において折り返した後、一旦、大径部７Ａ２を突起９に嵌合させたうえで、バンド部材７を迂回部８側に向け引き戻すことで小径部７Ａ１を突起９の外面に密着させて係止することができるようになっている。このような構成とすることにより、突起９と同じ外形寸法とする場合と違って、突起９への係止部７Ａの嵌合を容易にすることができる。
【００３８】
本実施形態は、以上のような構成であるから、図４および図６においてその作用を説明すると次の通りである。
【００３９】
まず、バンド部材７の取り付けについて説明すると、バンド部材７は、延長方向一端が板バネ１１に挟み込まれた状態で筐体２０側に取り付けられ、延長方向他端が迂回部８に掛け回されて折り返されたうえで突起９側に向け進行される。
【００４０】
突起９の位置にバンド部材７の延長方向他端部がさしかかると、バンド部材７は、突起９の傾斜面９Ａに乗り上げながら移動する。このとき、バンド部材７の幅方向端部はバンドガイド部材１０によって幅方向での位置ずれを防止されて係止穴７Ａと突起９との位置が整合される。
【００４１】
バンド部材７の係止部７Ａが突起９の位置にさしかかると、係止部７Ａの大径部部７Ａ２が突起９内に嵌合する。この状態でバンド部材７を迂回部８に向け引き戻すことで係止部７Ａの小径部７Ａ１が突起９の外面に密着し、ここに開閉カバー４および筐体２０に対するバンド部材７の取り付けが完了する。バンド部材７の進行に際しては、バンド部材７の延長方向端部の末端部に形成されているカール７Ｂが開閉カバー４の内面と接触しながら移動することになるので、エッジなどがないことにより摺動抵抗が軽減されて移動することができる。
【００４２】
バンド部材７は、延長方向一端から迂回部８に至る領域に対して迂回部８から係止部７Ａに至る領域では、迂回部８に至るまでの領域に対して反転した関係となる。これにより、自身の初期習性により直線状に復帰するための形状復元力が蓄えられることになるので、迂回部８から延長方向他端までの領域では、開閉カバー４の内面に圧接することができる。
【００４３】
以上のような構成においては、図４に示すように、開閉カバー４が閉じ位置から開放位置に向け移動する過程、換言すれば、開閉カバー４が揺動する過程において、バンド部材７が、板バネ１０によって保持されている延長方向一端から迂回部８に至る領域の途中を起倒支点位置に相当する支点部２１に向けて凸状に湾曲させる。
【００４４】
これにより、図４に示した符号Ｌ１で示す長さの領域が、迂回部８を中心とした揺動半径として撓むことにより、符号Ｌ２で示した長さの領域に位置するバンド部材７の係止部７Ａが浮き上がろうとするのを押さえつけによって阻止することができ、係止部７Ａが開閉カバー４側の係合部である突起９から外れてしまうのを防止することができる。
【００４５】
さらに、開閉カバー４が開放位置に至る過程では、バンド部材７の延長方向端部の末端部に形成されているカール７Ｂが長さＬ１の領域に生じる湾曲部７Ｄに接触すると、湾曲部７Ｄによって長さＬ２の領域が浮き上がるのを阻止されることになり、これによっても、係止部７Ａが係合部を構成する突起９から外れることを防止されることになる。
【００４６】
図６は、開閉カバー４が開放位置に達した状態を示しており、この状態に達すると、バンド部材７に張力が発生し、延長方向一端が牽引されて、この延長方向一端を保持している板バネ１０の締結部に負荷がかかるが、板バネ１０の弾性変形によってその負荷を吸収することができるので、締結部材への過剰な負荷増加を防止することができる。
【００４７】
以上のような構成においては、バンド部材７の延長方向各端部への締結作業が不要となる。つまり、締結部は板バネ１０を対象とするだけで済み、しかも、迂回部８によってバンド部材７が折り返されて進行させるだけで延長方向端部側の係止部７Ａを係合部８に係合させるだけであるので、バンド部材７の取り付け作業が簡単となる。
【００４８】
さらには、迂回部８を基準として延長方向一端に至る領域と延長方向他端に至る領域とが迂回部において折り返されることにより、迂回部８を基準としてバンド部材７の延長部分をオーバーラップさせることができるので、単に延長した場合と違って、折り返し部分の占有スペースを共有することで装置内での占有スペースを小さくすることができる。このように、開閉カバーの内面でバンド部材７が占有するスペースを小さくできると、開閉カバー４の内面に設けてある機能部（図２において符号４Ａ、４Ｂで示す部材）の設置スペースを確保することができる。
【００４９】
次に、上記構成に要部変形例について説明する。  
図７は、バンド部材７の延長方向端部の末端部を示しており、この場合の末端部は、平坦ではなく、係止部７Ａまでの範囲が上に凸となる山折り形状（便宜上、符号７Ｃで示す）とされている。
【００５０】
この構成においては、迂回部８で折り返されて開閉カバー４の係合部である突起９にさしかかると、山折り部７Ｃの両片が突起９に乗り上げて覆う状態で進行する。これにより、突起９に対するバンド部材７の幅方向での位置が規定されてガイドされることになるので、係止部７Ａと突起９との嵌合が的確に行えると共に、山折り部がバンド部材７領域Ｌ１に位置する湾曲部に接触した場合には、バンド部材７の領域Ｌ２が浮き上がるのを防止されることになる。
【００５１】
この構成においては、山折り部が係合ガイドとしての機能と締結されていないバンド部材の延長方向他端部の浮き上がりにより係合が外れてしまうのを防止する機能とを併せ持たせることができる。
【図面の簡単な説明】
【００５２】
【図１】本発明による画像形成装置の外観図である。
【図２】図１に示した画像形成装置の側面に設けられている開閉カバーを開放した状態を示す外観図である。
【図３】図２に示した開閉カバーの開放角規定に用いられる構成を説明するための要部を示す斜視図である。
【図４】図２に示した開閉カバーの閉じ位置でのバンド部材に生じる湾曲部と迂回部までの領域長さおよび迂回部からバンド部材の延長方向他端部までの領域長さの関係を説明するための模式図である。
【図５】バンド部材に形成されている係止部の構成を説明するためのバンド部材の一部を示す平面図である。
【図６】開閉カバーが開放位置に到達した状態を説明するための模式図である。
【図７】図３に示した開閉カバーの開放角規定に用いら得る構成の一部変形例を説明するための斜視図である。
【符号の説明】
【００５３】
１  画像形成装置
２  装置本体
４  開閉カバー
７  バンド部材
７Ａ  係止部
７Ａ１  小径部
７Ａ２  大径部
７Ｂ  カール
７Ｃ  山折り部
８  迂回部
８Ａ  バンド部材が掛け回される面
９  係合部である突起
９Ａ  傾斜面
１０  バンドガイド部材
１１  板バネ
２１  支点部
２２、２４  ブラケット
２３  支軸
Ｌ１  迂回部からバンド部材の延長方向一旦途中に生じる湾曲部までの領域の長さ
Ｌ２  迂回部からバンド部材の延長方向端部に至る領域の長さ
【図１】
2010085432.tif 000003
【図２】
2010085432.tif 000004
【図３】
2010085432.tif 000005
【図４】
2010085432.tif 000006
【図５】
2010085432.tif 000007
【図６】
2010085432.tif 000008
【図７】
2010085432.tif 000009